(57)【要約】【課題】レンズ着脱時に生じる局所的な摩耗を低減することを可能にしたカメラマウントを有する撮像装置を提供すること。【解決手段】レンズマウント部（３０３）を持つ交換レンズ（３）を着脱可能な撮像装置（１）において、撮像装置（１）は、カメラマウント（１０３）と、カメラマウント（１０３）と対向して配置され、交換レンズ（３）を取り付ける際、複数の押圧部（８０１ａ、８０１ｂ、８０１ｃ）によってレンズマウント部（３０３）をカメラマウント（１０３）方向に付勢する付勢部材（５０１）と、発熱部（２２、８０）と、発熱部（２２、８０）からの熱量をカメラマウント（１０３）まで導く複数の伝熱部材（９１１、９１２、９１３）と、を備え、複数の伝熱部材（９１１、９１２、９１３）は、前記カメラマウント（１０３）の、複数の押圧部（８０１ａ、８０１ｂ、８０１ｃ）と対向しない領域で、カメラマウント（１０３）と熱的に接続されていることを特徴とする。【選択図】図１０
2020067471.tif 000002
【特許請求の範囲】
【請求項１】
レンズマウント部を持つ交換レンズを着脱可能な撮像装置において、
前記撮像装置は、カメラマウントと、
前記カメラマウントと対向して配置され、前記交換レンズを取り付ける際、複数の押圧部によって前記レンズマウント部を前記カメラマウント方向に付勢する付勢部材と、
発熱部と、
前記発熱部からの熱量を前記カメラマウントまで導く複数の伝熱部材と、を備え、
前記複数の伝熱部材は、前記カメラマウントの、前記複数の押圧部と対向しない領域で、前記カメラマウントと熱的に接続されていることを特徴とする撮像装置。
【請求項２】
前記カメラマウントは、熱膨張する樹脂材料により成型されていることを特徴とする請求項１に記載の撮像装置。
【請求項３】
前記複数の伝熱部材により、前記カメラマウントに導かれる熱量は、それぞれの伝熱部材間で同一であることを特徴とする請求項１に記載の撮像装置。
【請求項４】
前記付勢部材の押圧部の数と、前記伝熱部材と前記カメラマウントの熱的な接続箇所の数は、同一であることを特徴とする請求項１に記載の撮像装置。
【請求項５】
前記カメラマウントにおいて、前記伝熱部材との熱的な接続箇所と、前記付勢部材の押圧部と対向する部分の間では、熱抵抗が高くなっていることを特徴とする請求項１に記載の撮像装置。
【発明の詳細な説明】
【技術分野】
【０００１】
本発明は、レンズ取り付けマウントを持つレンズ交換式カメラに関し、特に樹脂材料で構成されたカメラマウントを持つカメラに関する。
【背景技術】
【０００２】
撮影レンズが交換可能なレンズ交換式カメラのレンズ着脱機構として、バヨネット方式のマウントが提案されている。以下では、カメラに設けられたバヨネットばねと、リング状のマウント部材を、カメラマウントと記述する。
【０００３】
従来、レンズ交換式カメラのカメラマウントは、耐久性や信頼性、精度等を考慮して金属材料で構成されているが、金属材料で構成されているカメラマウントは重量が重いことや部品コストが高くなるという課題があった。
【０００４】
昨今、エンジニアリングプラスチックの耐久性及び信頼性の向上及び成形技術の進歩によって、プラスチック等の樹脂材料で構成されたカメラマウントを有するカメラが製品化されている。カメラマウントが樹脂材料になることで、軽量化や部品コスト抑制が可能となる。特許文献１は、樹脂で構成されたカメラマウントに関する技術を開示している。
【０００５】
一方で、カメラの高画素化に伴い、撮像素子や画像処理ＩＣ、電池などカメラ内部部品の発熱量が増加し、画質が低下するという課題があった。また、内部部品の発熱が外装部品に伝達された際に、撮影者が不快に感じる場合もある。特許文献２には、撮影時に発生する電池の熱をカメラマウントに遷移させることで、電池を覆うグリップ部の温度を下げる技術が開示されている。
【先行技術文献】
【特許文献】
【０００６】
【特許文献１】特開平１１−６４７０１号公報
【特許文献２】特開２０１６−３８４１２号公報
【発明の概要】
【発明が解決しようとする課題】
【０００７】
しかし、特許文献１が開示しているカメラマウントは樹脂材料で形成されているがゆえに、金属で構成されたカメラマウントに比べると、マウント個体の強度が劣るという問題がある。バヨネット方式のカメラマウントでは、レンズを装着した際、複数のバヨネットばねがレンズのフランジと当接し、樹脂材料でできたマウント部材を押し上げてしまう。局所的に押し上げられ、レンズとの当接面に対して凸形状となったカメラマウントは、レンズ着脱を繰り返すことで局所的な摩耗が生じ、フランジバックへの影響や、装着感が渋くなるなどの問題がある。
【０００８】
また、特許文献２では、カメラマウントの中心に対して左右どちらかに配置された電池の熱をカメラマウントに接続するため、カメラマウントの片側が温められることになる。その結果、カメラマウント内に熱勾配が生じるため、熱膨張により凸部が局所的に発生してし、レンズ脱着を繰り返すことで局所的な摩耗が生じてしまう。金属と比較し、樹脂材料は線膨張係数が大きいため、熱によるカメラマウントの膨張、さらには局所摩耗によるフランジバック、装着感への影響は顕著になる。
【０００９】
そこで、本発明の目的は、レンズ着脱時に生じる局所的な摩耗を低減することを可能にしたカメラマウントを有する撮像装置を提供することにある。
【課題を解決するための手段】
【００１０】
上記の目的を達成するために、本発明に係る撮像装置は、
レンズマウント部を持つ交換レンズを着脱可能な撮像装置において、前記撮像装置は、カメラマウントと、前記カメラマウントと対向して配置され、前記交換レンズを取り付ける際、複数の押圧部によって前記レンズマウント部を前記カメラマウント方向に付勢する付勢部材と、発熱部と、前記発熱部からの熱量を前記カメラマウントまで導く複数の伝熱部材と、を備え、前記複数の伝熱部材は、前記カメラマウントの、前記複数の押圧部と対向しない領域で、前記カメラマウントと熱的に接続されていることを特徴とする。
【発明の効果】
【００１１】
本発明によれば、レンズ着脱時に生じる局所的な摩耗を低減することを可能にしたカメラマウントを有する撮像装置の提供を実現できる。
【図面の簡単な説明】
【００１２】
【図１】撮像装置１を前面側より見た外観を示す斜視図である。
【図２】撮像装置１を背面側より見た外観を示す斜視図である。
【図３】撮像装置１のブロック図を示すものである。
【図４】交換レンズ３を示す斜視図である。
【図５】ミラーボックス１０４の分解状態の斜視図である。
【図６】マウントスプリング５０１の正面図である。
【図７】カメラマウント１０３とマウントスプリング５０１の位置関係を示す図である。
【図８】交換レンズ３着脱時のカメラマウント１０３とレンズマウント３０３の関係を示す図である。
【図９】撮像装置１の撮像部２２やシステム制御部８０で発生した熱を、カメラマウント１０３へ遷移させる伝熱経路を示す正面斜視図、及び背面斜視図である。
【図１０】撮像部２２やシステム制御部８０から遷移された熱量により、カメラマウント１０３が熱膨張している図である。
【発明を実施するための形態】
【００１３】
以下に、本発明の好ましい実施の形態を、添付の図面に基づいて詳細に説明する。
【００１４】
図１は、本発明の実施形態に係る撮像装置１を前面側より見た外観を示す斜視図である。具体的には、図１は、交換レンズ３（後述の図４参照）を外した状態を示している。
【００１５】
図１にある座標軸は後述の説明で使用する方向を定義するものであり、特記無き限り図１に記載の矢印の方向をプラス方向として軸を定義する。
【００１６】
図１において、撮像装置１には、撮影時に撮影者が撮像装置１を安定して握り易いように前方に突出したグリップ部１０１が設けられている。グリップ部１０１の上部には、撮影開始のスイッチとしてレリーズボタン１０２が配置されている。
【００１７】
カメラマウント１０３は、着脱可能な交換レンズ３を撮像装置１に固定させる。カメラマウント１０３は公知のバヨネット式のマウントであり、後述する図４の交換レンズ３も同様である。
【００１８】
ミラーボックス１０４は、撮像装置１の筐体内に配置され、交換レンズ３を通過した撮像光束はここへ導かれる。ミラーボックス１０４の内部には、クイックリターンミラー１０５が配設されている。
【００１９】
クイックリターンミラー１０５は、不図示のメインミラーとサブミラーによって構成されている。メインミラーは撮像光束の一部を反射させて、ファインダ接眼窓１１０（後述の図２参照）を通してユーザーが光学像を確認できるようにする。また、メインミラーは一部がハーフミラーとなっており、光の一部を透過させ、その透過光は、サブミラーで反射され、不図示の測距部に入射させる。
【００２０】
また、クイックリターンミラー１０５は、撮像時にレリーズボタン１０２が押下されると、その端部に設けられた不図示の軸を中心として回動する。その後、反射面が撮像装置１の光軸に対して略平行となる位置に退避して、撮像光束を不図示の撮像素子に導く。
【００２１】
ストロボ１０６は、撮像装置１の上方にあり、操作ボタン１１２（後述の図２参照）がユーザーにより操作されると、所定の位置まで持ち上がり、図示しない発光部が被写体を向き、発光準備状態となる。アクセサリシュー１０８は、撮像装置１の上方に設けられ、外付けストロボなどの撮像用のアクセサリを取り付けるための電気的接点を有している。
【００２２】
図２は、撮像装置１を背面側より見た外観を示す斜視図である。図２において、撮像装置１の背面の上方には、撮影者が光学像を確認するためのファインダ接眼窓１１０が設けられている。更に背面中央付近には画像表示部４０が設けられている。また、画像表示部４０の横には操作ボタン１１２が配置されており、撮影者が操作ボタン１１２を操作することにより、撮像装置１の各種設定の変更を行うことができ、画像表示部４０にはその設定状況が表示される。
【００２３】
図３は、撮像装置１のブロック図を示すものである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２４】
画像処理部２５は、Ａ／Ｄ変換器２３からのデータ、またはメモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部８０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００２５】
Ａ／Ｄ変換器２３からの出力データは、画像処理部２５及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、画像表示部４０に表示するための画像データを格納する。メモリ３２は、所定枚数の静止画像や所定時間の動画像及び音声を格納するのに十分な記憶容量を備えている。
【００２６】
撮影者が撮像装置１を用いて高速連写や動画撮影を行う際には、単写の時と比較し、上述の撮像部２２、システム制御部８０に入力される、または処理されるデータ量が膨大となるため、それぞれのが発熱量が大きくなる。
【００２７】
図４は交換レンズ３を示す斜視図である。交換レンズ３は、被写体像光を不図示の撮像素子の撮像面に結像させる光学系である。この光学系の焦点位置を調節するための不図示の焦点レンズを含む複数のレンズ群と可動絞りを備えている。交換レンズ３は鏡筒３０１の前後にレンズ３０２、３０６が配置されており、背面側にはカメラマウント１０３との結合部であるレンズマウント３０３が配置されている。レンズマウント３０３はレンズフランジ３０４ａ、３０４ｂ、３０４ｃと摺動面３０５によって構成されている。レンズフランジ３０４ａ、３０４ｂ、３０４ｃは交換レンズ３を撮像装置１に装着する際に、後述するマウントスプリン都５０１の押圧部８０１ａ、８０１ｂ、８０１ｃと接触する。摺動面３０５は、カメラマウント１０３と接することで、レンズ３０２のＺ方向の位置を規制する。
【００２８】
図５はミラーボックス１０４の分解状態の斜視図である。ミラーボックス１０４には、固定ビス５０２ａ、５０２ｂ、５０２ｃ、５０２ｄ、５０２ｅ、５０２ｆによって、カメラマウント１０３、マウントスプリング５０１（詳細は後述の図６参考）が重なって固定されている。
【００２９】
図６はマウントスプリング５０１の正面図である。マウントスプリング５０１はバネ性を有するステンレス鋼等の板金材料で構成されている。バネ性を発揮する部分として、押圧部８０１ａ、８０１ｂ、８０１ｃが形成されている。押圧部８０１ａ、８０１ｂ、８０１ｃはレンズフランジ３０４ａ、３０４ｂ、３０４ｃを−Ｚ方向に付勢することによって、交換レンズ３のＺ方向の位置を規制する。また、押圧部８０１ａ、８０１ｂ、８０１ｃの両端にはそれぞれ当接部８０２ａ、８０２ｂ、８０２ｃ、８０３ａ、８０３ｂ、８０３ｃが形成されている。当接部８０２ａ、８０２ｂ、８０２ｃ、８０３ａ、８０３ｂ、８０３ｃは押圧部８０１ａ、８０１ｂ、８０１ｃがレンズフランジ３０４ａ、３０４ｂ、３０４ｃを付勢する際に、カメラマウント１０３と当接する部分である。
【００３０】
図７はカメラマウント１０３とマウントスプリング５０１の位置関係を示す図であり、正面図のＡ−Ａ断面図を示している。Ａ−Ａ断面図において、押圧部８０１ａがレンズフランジ３０４ａを付勢すると、当接部８０２ａ、８０３ａがカメラマウント１０３に当接する。その際、樹脂で成形されたカメラマウント１０３は＋Ｚ方向に弾性変形をして、当接部８０２ａ、８０３ａの二点間の直上部が最も凸となる。そのため、レンズ摺動面３０５と最も強く接するのは、当接部８０２ａ、８０３ａの二点間の直上部であり、摩擦力が顕著に上昇し、局所摩耗が発生する部分となる。
【００３１】
図８は交換レンズ３着脱時のカメラマウント１０３とレンズマウント３０３の関係を示す図である。交換レンズ３を＋θ方向に回転し図８（１）から図８（２）の状態に遷移すると、Ｂ−Ｂ断面において、押圧部８０１ａによってレンズフランジ３０４ａが付勢され、交換レンズ３は撮像装置１に固定装着される。逆に交換レンズ３を―θ方向に回転し、図９（２）から図８（１）の状態に遷移すると、押圧部８０１ａの付勢とレンズフランジ３０４、カメラフランジ６０４ａの係合が解除されて交換レンズ３を撮像装置１から脱離できる。図８（２）の状態において、押圧部８０１ａがレンズフランジ３０４ａを付勢することに伴って、摺動部３０５もカメラマウント１０３に向かって付勢される。この時、摺動部３０５とカメラマウント１０３間の摩擦力が上昇し、局所的な摩耗が生じてしまう。
【００３２】
図９（ａ）、（ｂ）は、本実施例における、撮像装置１の撮像部２２やシステム制御部８０で発生した熱を、カメラマウント１０３へ遷移させる伝熱経路を示す正面斜視図、及び背面斜視図である。図９（ａ）、（ｂ）においては、撮像装置１の外装部材が図示されない状態で、システム制御部８０および撮像部２２が図示されている。その他には撮像部２２が実装された撮像基板９０１、システム制御部８０が実装されたシステム制御基板９０２、ミラーボックス１０４が図示されている。また、説明をわかりやすくするために、図６に示すように、カメラマウント１０３における、マウントスプリング５０１の当接部８０２ａ〜８０３ｃに対向する箇所を領域Ａとする。同様に、当接部８０２ｂ〜８０３ａに対向する箇所を領域Ｂ、当接部８０２ｃ〜８０３ｂに対向する箇所を領域Ｃとして説明する。撮影者が撮像装置１を用い、連写撮影、もしくは動画撮影を行うと、前述の通り撮像部２２、システム制御部８０が発熱する。撮像部２２により発せられた熱は、伝熱部材９１１、９１２によってそれぞれ＋Ｘ方向、−Ｘ方向に引き出され、ミラーボックス１０４の側面を通り、カメラマウント１０３の領域Ａ、領域Ｂに導かれる。同様に、システム制御部８０で発せられた熱は、伝熱部材９１３によって−Ｙ方向に引き出され、ミラーボックス１０４の下側を通り、カメラマウント１０３の領域Ｃに導かれる。伝熱部材９１１、９１２、９１３は銅板やグラファイトシートなど、熱伝導率の高い材質で構成されており、材質の他、厚みや幅を調整することにより、各発熱部から領域Ａ、Ｂ、Ｃに導かれる熱量を略同一とすることが可能である。
【００３３】
図１０は、本実施例における、撮像部２２やシステム制御部８０から遷移された熱量により、カメラマウント１０３が部分的に熱膨張している図である。断面Ｃ−Ｃにおいて、領域Ａ、Ｂではカメラマウント１０３とマウントスプリング５０１の間に伝熱部材９１１、９１２が配置されている。伝熱部材９１１、９１２がカメラマウント１０３と接することで、撮像部２２から発せられた熱量がカメラマウント１０３の領域Ａ、Ｂに印加されている。印加された熱量により、領域Ａ、Ｂ、Ｃが熱膨張し、図１０で示すように、当接部８０２ａ、８０３ａによる凸形状と同等の高さまでカメラマウント１０３が変形する。印加された熱により領域Ａ、Ｂ、Ｃの熱膨張が発生し、カメラマウント１０３とレンズマウント３０３の接点が増え、接触圧が分散される。その結果、局所的な摩耗が緩和され、フランジバックへの影響や、装着感が渋くなるなどの問題が軽減される。図１０において、カメラマウント１０３におけるマウントスプリング５０１の当接部８０２ａと領域Ａの間には、切欠き部１０３ａが設けられている。同様に、当接部８０３ａと領域Ｂの間には切欠き部１０３ｂが設けられている。これらの切欠き部により、カメラマウント１０３の領域Ａ、領域Ｂに印加された熱量が、カメラマウント１０３の押圧部８０１ａに対向する箇所まで伝わり、熱膨張してしまうのを防いでいる。
【００３４】
以上、本発明の好ましい実施形態について説明したが、本発明はこれらの実施形態に限定されず、その要旨の範囲内で種々の変形及び変更が可能である。
【符号の説明】
【００３５】
１  撮像装置、３  交換レンズ、２２  撮像部、８０  システム制御部、
１０３  カメラマウント、１０３ａ  切欠き部、１０３ｂ  切欠き部、
１０４  ミラーボックス、３０２  レンズ、３０３  レンズマウント、
３０４ａ  レンズフランジ、３０５  摺動面、５０１  マウントスプリング、
５０２ａ  固定ビス、８０１ａ  押圧部、８０２ａ  当接部、
９０１  撮像基板、９０２  システム制御基板、９１１  伝熱部材、
９１２  伝熱部材、９１３  伝熱部材
【図１】
2020067471.tif 000003
【図２】
2020067471.tif 000004
【図３】
2020067471.tif 000005
【図４】
2020067471.tif 000006
【図５】
2020067471.tif 000007
【図６】
2020067471.tif 000008
【図７】
2020067471.tif 000009
【図８】
2020067471.tif 000010
【図９】
2020067471.tif 000011
【図１０】
2020067471.tif 000012